(57)【要約】【課題】外部装置に格納されたコンテンツを再生するコンテンツ再生装置の利便性を向上することができる技術を提供する。【解決手段】外部装置に格納されたコンテンツを再生可能なコンテンツ再生装置は、再生対象の前記コンテンツの情報を画面に表示させる制御部と、情報を記憶する記憶部と、を備える。前記制御部は、再生対象とする前記コンテンツの選択のために行われた絞込み操作の履歴を前記記憶部に履歴情報として記憶する処理を行う。前記制御部は、前記絞込み操作で選択されることによって前記画面に表示可能となる絞込み条件の表示処理後に前記外部装置を一旦認識不能となり再認識した場合に、前記履歴情報と、前記外部装置で選択中の前記コンテンツの情報とに基づいて、前記絞込み条件を前記画面に自動的に表示させるか否かを判断する。【選択図】図９
2019079585.tif 000002
【特許請求の範囲】
【請求項１】
外部装置に格納されたコンテンツを再生可能なコンテンツ再生装置であって、
再生対象の前記コンテンツの情報を画面に表示させる制御部と、
情報を記憶する記憶部と、
を備え、
前記制御部は、再生対象とする前記コンテンツの選択のために行われた絞込み操作の履歴を前記記憶部に履歴情報として記憶する処理を行い、
前記制御部は、前記絞込み操作で選択されることによって前記画面に表示可能となる絞込み条件の表示処理後に前記外部装置を一旦認識不能となり再認識した場合に、前記履歴情報と、前記外部装置で選択中の前記コンテンツの情報とに基づいて、前記絞込み条件を前記画面に自動的に表示させるか否かを判断する、コンテンツ再生装置。
【請求項２】
前記制御部は、前記外部装置で選択中の前記コンテンツが前記履歴情報にしたがった前記絞込み操作によって絞り込まれる前記コンテンツの集合に含まれる場合に、前記絞込み条件を自動的に前記画面に表示させる、請求項１に記載のコンテンツ再生装置。
【請求項３】
前記制御部は、前記外部装置が有する前記コンテンツの情報を取得して前記記憶部にデータベースとして記憶する処理を行い、
前記制御部は、前記データベースに基づいて、前記外部装置で選択中の前記コンテンツが前記履歴情報にしたがった前記絞込み操作によって絞り込まれる前記コンテンツの集合に含まれるか否かを判断する、請求項２に記載のコンテンツ再生装置。
【請求項４】
前記制御部は、前記絞込み操作によって絞り込まれた前記コンテンツの集合をリスト化したリスト情報を前記記憶部に記憶させる処理を行い、
前記制御部は、前記リスト情報に基づいて、前記外部装置で選択中の前記コンテンツが前記履歴情報にしたがった前記絞込み操作によって絞り込まれる前記コンテンツの集合に含まれるか否かを判断する、請求項２に記載のコンテンツ再生装置。
【請求項５】
前記制御部は、前記外部装置が有する前記コンテンツの情報を取得して前記記憶部にデータベースとして記憶する処理を行い、
前記制御部は、前記絞込み条件を表示させる際に、前記データベースに基づいて表示させる前記絞込み条件と変更可能な他の項目が存在すると判断される場合に、前記他の項目を選択可能であることを示すマークを前記画面に表示させる、請求項１又は２に記載のコンテンツ再生装置。
【請求項６】
前記記憶部には、自装置に接続された前記外部装置の識別情報が記憶され、
前記制御部は、前記外部装置を認識不能となる直前の前記識別情報と、現在認識する前記外部装置の前記識別情報とが一致しない場合には、前記絞込み条件を前記画面に表示させない、請求項１から５のいずれか１項に記載のコンテンツ再生装置。
【請求項７】
前記画面に表示される前記コンテンツの情報は、階層的に分類される複数種類の情報を含み、
前記絞込み条件は、前記複数種類の情報のうち階層が最上位の情報である、請求項１から６のいずれか１項に記載のコンテンツ再生装置。
【請求項８】
前記絞込み条件は、選択可能な複数の条件で構成され、
前記複数の条件には、前記コンテンツのジャンルの名称、前記コンテンツの作曲者の名称、及び、ユーザによって作成された前記コンテンツの再生順をリスト化したプレイリストの名称のうち、少なくともいずれか１つが含まれる、請求項１から７のいずれか１項に記載のコンテンツ再生装置。
【請求項９】
外部装置に格納されたコンテンツを再生するコンテンツ再生装置の制御方法であって、
再生対象の前記コンテンツの情報を画面に表示させる工程と、
再生対象とする前記コンテンツの選択のために行われた絞込み操作の履歴を履歴情報として記憶する工程と、
前記絞込み操作で選択されることによって前記画面に表示可能となる絞込み条件の表示処理後に、前記外部装置を一旦認識不能となり再認識した場合に、前記履歴情報と、前記外部装置で選択中の前記コンテンツの情報とに基づいて、前記絞込み条件を前記画面に自動的に表示させるか否かを判断する判断工程と、
を備える、コンテンツ再生装置の制御方法。
【発明の詳細な説明】
【技術分野】
【０００１】
本発明は、コンテンツ再生装置およびコンテンツ再生装置の制御方法に関する。
【背景技術】
【０００２】
特許文献１には、車両のオーディオ装置が開示される。このオーディオ装置は、オーディオデータを再生する車載の再生ユニットと、前記再生ユニットと携帯オーディオユニットとを接続し、当該携帯オーディオユニットに記憶されているオーディオデータを前記再生ユニットに再生させる接続ユニットとを備える。前記接続ユニットは、前記再生ユニットに接続した携帯オーディオユニットに記憶されている識別データを読み込み、当該携帯オーディオユニットを識別する識別手段を有する。
【０００３】
特許文献１の構成によれば、前回と別の携帯オーディオユニットが接続された場合に、前回の携帯オーディオユニットの停止位置データに基づいてオーディオデータが再生されてしまうことを防止することができる。
【先行技術文献】
【特許文献】
【０００４】
【特許文献１】特開２００９−１４３４１２号公報
【発明の概要】
【発明が解決しようとする課題】
【０００５】
例えば、オーディオ装置には、接続中の携帯オーディオユニットに格納された楽曲の再生中に、ユーザが選択したカテゴリの名称を表示部に表示させるものが存在する。カテゴリの名称としては、例えばロックやポップといったジャンルの名称や、作曲者の名称等が挙げられる。
【０００６】
例えば、車両のＡＣＣ電源がオフされた場合、ユーザは携帯オーディオユニットを自由に操作することができる。オーディオ装置は、車両のＡＣＣ電源がオフされている間のユーザの操作については認識することができない。このために、車両のＡＣＣ電源が一旦オフにされた後にオンされた場合に、オーディオ装置が、先にユーザが選択したカテゴリ名称を表示させると不適切になる可能性がある。一方、車両のＡＣＣ電源がオフされている間のユーザの操作が不明であるとして、ＡＣＣ電源のオン時にオーディオ装置がカテゴリ名称を全く表示しない構成とすると、ユーザが不便に感じる可能性がある。
【０００７】
本発明は、上記課題に鑑みてなされたものであり、外部装置に格納されたコンテンツを再生するコンテンツ再生装置の利便性を向上することができる技術を提供することを目的とする。
【課題を解決するための手段】
【０００８】
上記目的を達成するために本発明のコンテンツ再生装置は、外部装置に格納されたコンテンツを再生可能なコンテンツ再生装置であって、再生対象の前記コンテンツの情報を画面に表示させる制御部と、情報を記憶する記憶部と、を備え、前記制御部は、再生対象とする前記コンテンツの選択のために行われた絞込み操作の履歴を前記記憶部に履歴情報として記憶する処理を行い、前記制御部は、前記絞込み操作で選択されることによって前記画面に表示可能となる絞込み条件の表示処理後に前記外部装置を一旦認識不能となり再認識した場合に、前記履歴情報と、前記外部装置で選択中の前記コンテンツの情報とに基づいて、前記絞込み条件を前記画面に自動的に表示させるか否かを判断する構成（第１の構成）になっている。
【０００９】
上記第１の構成のコンテンツ再生装置において、前記制御部は、前記外部装置で選択中の前記コンテンツが前記履歴情報にしたがった前記絞込み操作によって絞り込まれる前記コンテンツの集合に含まれる場合に、前記絞込み条件を自動的に前記画面に表示させる構成（第２の構成）であることが好ましい。
【００１０】
上記第２の構成のコンテンツ再生装置において、前記制御部は、前記外部装置が有する前記コンテンツの情報を取得して前記記憶部にデータベースとして記憶する処理を行い、前記制御部は、前記データベースに基づいて、前記外部装置で選択中の前記コンテンツが前記履歴情報にしたがった前記絞込み操作によって絞り込まれる前記コンテンツの集合に含まれるか否かを判断する構成（第３の構成）であることが好ましい。
【００１１】
上記第２の構成のコンテンツ再生装置において、前記制御部は、前記絞込み操作によって絞り込まれた前記コンテンツの集合をリスト化したリスト情報を前記記憶部に記憶させる処理を行い、前記制御部は、前記リスト情報に基づいて、前記外部装置で選択中の前記コンテンツが前記履歴情報にしたがった前記絞込み操作によって絞り込まれる前記コンテンツの集合に含まれるか否かを判断する構成（第４の構成）であってよい。
【００１２】
上記第１又は第２の構成のコンテンツ再生装置において、前記制御部は、前記外部装置が有する前記コンテンツの情報を取得して前記記憶部にデータベースとして記憶する処理を行い、前記制御部は、前記絞込み条件を表示させる際に、前記データベースに基づいて表示させる前記絞込み条件と変更可能な他の項目が存在すると判断される場合に、前記他の項目を選択可能であることを示すマークを前記画面に表示させる構成（第５の構成）であることが好ましい。
【００１３】
上記第１から第５のいずれかの構成のコンテンツ再生装置において、前記記憶部には、自装置に接続された前記外部装置の識別情報が記憶され、前記制御部は、前記外部装置を認識不能となる直前の前記識別情報と、現在認識する前記外部装置の前記識別情報とが一致しない場合には、前記絞込み条件を前記画面に表示させない構成（第６の構成）であることが好ましい。
【００１４】
上記第１から第６のいずれかの構成のコンテンツ再生装置において、前記画面に表示される前記コンテンツの情報は、階層的に分類される複数種類の情報を含み、前記絞込み条件は、前記複数種類の情報のうち階層が最上位の情報である構成（第７の構成）であってよい。
【００１５】
上記第７の構成のコンテンツ再生装置において、前記絞込み条件は、選択可能な複数の条件で構成され、前記複数の条件には、前記コンテンツのジャンルの名称、前記コンテンツの作曲者の名称、及び、ユーザによって作成された前記コンテンツの再生順をリスト化したプレイリストの名称のうち、少なくともいずれか１つが含まれる構成（第８の構成）であってよい。
【００１６】
上記目的を達成するために本発明のコンテンツ再生装置に制御方法は、外部装置に格納されたコンテンツを再生するコンテンツ再生装置の制御方法であって、再生対象の前記コンテンツの情報を画面に表示させる工程と、再生対象とする前記コンテンツの選択のために行われた絞込み操作の履歴を履歴情報として記憶する工程と、前記絞込み操作で選択されることによって前記画面に表示可能となる絞込み条件の表示処理後に、前記外部装置を一旦認識不能となり再認識した場合に、前記履歴情報と、前記外部装置で選択中の前記コンテンツの情報とに基づいて、前記絞込み条件を前記画面に自動的に表示させるか否かを判断する判断工程と、を備える構成（第９の構成）になっている。
【発明の効果】
【００１７】
本発明によれば、外部装置に格納されたコンテンツを再生するコンテンツ再生装置の利便性を向上することができる。
【図面の簡単な説明】
【００１８】
【図１】本発明の実施形態に係るコンテンツ再生システムの構成を示すブロック図
【図２】表示処理部の指示によって表示される画面を模式的に示した図
【図３】外部装置のコンテンツを選択するための絞込み操作について説明するための模式図
【図４】再生対象の楽曲の情報を示す画面の一例を示す模式図
【図５】図４に示す例と異なる画面例を示す模式図
【図６】本発明の実施形態に係るコンテンツ再生システムが実行する処理手順を示すシーケンス図
【図７】楽曲データベースの一例を示す図
【図８】本発明の実施形態に係るコンテンツ再生システムが実行する他の処理手順を示すシーケンス図
【図９】本発明の実施形態に係るコンテンツ再生装置が実行する処理手順を示すフローチャート
【図１０】カテゴリ名の表示なしと判断された場合の画面の一例を示す図
【発明を実施するための形態】
【００１９】
以下、本発明の例示的な実施形態について、図面を参照しながら詳細に説明する。
【００２０】
＜１．コンテンツ再生システム＞
図１は、本発明の実施形態に係るコンテンツ再生システムＳＹＳの構成を示すブロック図である。図１に示すように、コンテンツ再生システムＳＹＳは、コンテンツ再生装置１と、外部装置１０とを備える。コンテンツ再生装置１と外部装置１０とは、相互に通信可能に接続される。コンテンツ再生装置１と外部装置１０との接続形態は、有線でも無線でもよい。また、コンテンツ再生装置１の接続スロットに対して、外部装置１０が直接装着されるといった接続形態であってもよい。
【００２１】
外部装置１０は、例えばスマートフォン、ノート型ＰＣ（Personal Computer）、タブレット端末、携帯電話機、ＰＤＡ（Personal Digital Assistant）、ウェアラブルデバイス等の端末装置である。
【００２２】
外部装置１０は、制御部１０１と、記憶部１０２と、通信部１０３とを備える。制御部１０１は、外部装置１０全体を制御する。記憶部１０２は、不揮発性メモリやレジスタ等の記憶デバイスである。記憶部１０２はコンテンツ１０２ａを記憶する。記憶部１０２は、複数のコンテンツ１０２ａを記憶可能である。本実施形態のコンテンツ１０２ａは楽曲である。ただし、コンテンツ１０２ａは、例えば、映画や大学の講義等を録画した動画や、写真等の静止画といった映像によって再生される情報であってもよい。コンテンツ１０２ａは、楽曲以外の音によって再生される情報であってもよい。制御部１０１はコンテンツ１０２ａの再生処理を行うことができる。通信部１０３は、通信デバイスであり、コンテンツ再生装置１とのデータの送受信を可能にする。
【００２３】
コンテンツ再生装置１は、外部装置１０に格納されたコンテンツを再生可能に設けられる。本実施形態では、コンテンツ再生装置１は、カーナビゲーション装置１００に搭載される。コンテンツ再生装置１は、楽曲を再生可能に設けられる。ただし、コンテンツ再生装置１は、オーディオプレイヤや光ディスクプレイヤ等のコンテンツ再生機能を有する、カーナビゲーション装置以外の電子装置に搭載されてもよい。コンテンツ再生装置１は、映像を再生可能な装置であってもよい。コンテンツ再生装置１の詳細については後述する。
【００２４】
図１に示すように、カーナビゲーション装置１００は、コンテンツ再生装置１の他に、ユーザインターフェース部２（以下「ＵＩ部２」と記載する）と出力部３とを備える。ＵＩ部２は、操作部２１と表示部２２とを備える。
【００２５】
操作部２１は、ユーザがコンテンツ再生装置１に対して操作を与えるためのデバイスである。操作部２１は、例えば、タッチパネル、操作ボタン、操作レバー、及び、操作ダイヤルの少なくとも１つを含んでよい。操作部２１は、遠隔操作用のリモートコントローラであってもよい。
【００２６】
表示部２２は、例えば液晶ディスプレイで構成される表示画面を有する。表示部２２は、カーナビゲーション情報の他に、コンテンツ再生装置１で再生される楽曲情報を表示する。楽曲情報には、例えば楽曲の名称（以下、「ソング名」と記載することがある）、楽曲を含むアルバムの名称、楽曲を演奏するアーティストの名称等が含まれる。本実施形態では、表示部２２はタッチパネル機能を有する。すなわち、表示部２２は、操作部２１の少なくとも一部を兼ねる。
【００２７】
出力部３は、コンテンツ再生装置１によって再生される再生情報をユーザに対して出力するためのデバイスである。本実施形態では、出力部３はスピーカを有する。出力部３は、コンテンツ再生装置１で再生された楽曲を音声として出力する。なお、コンテンツ再生装置１によって再生されるコンテンツが映像である場合には、出力部３は表示装置であってよい。この場合、表示部２２が出力部を兼ねてよい。
【００２８】
＜２．コンテンツ再生装置＞
図１に示すように、コンテンツ再生装置１は、制御部１１と、記憶部１２と、通信部１３とを備える。制御部１１は、取得部１１１と、受付部１１２と、表示処理部１１３と、要求部１１４と、再生部１１５とを備える。記憶部１２は情報を記憶する。詳細には、記憶部１２は、識別情報１２１と、データベース１２２と、履歴情報１２３とを記憶する。通信部１３は、通信デバイスであり、外部装置１０とのデータの送受信を可能にする。
【００２９】
コンテンツ再生装置１は、例えばＣＰＵ（Central Processing Unit）、ＲＯＭ（Read Only Memory）、ＲＡＭ（Random Access Memory）、ＨＤＤ（Hard Disk Drive）、入出力ポートなどを有するコンピュータや各種の回路を含む。コンピュータのＣＰＵは、例えば、ＲＯＭに記憶されたプログラムを読み出して実行することによって、制御部１１の取得部１１１、受付部１１２、表示処理部１１３、要求部１１４、及び、再生部１１５として機能する。
【００３０】
なお、制御部１１の取得部１１１、受付部１１２、表示処理部１１３、要求部１１４、及び、再生部１１５の少なくともいずれか一つ又は全部は、ＡＳＩＣ（Application Specific Integrated Circuit）やＦＰＧＡ（Field Programmable Gate Array）等のハードウェアで構成されてもよい。また、取得部１１１、受付部１１２、表示処理部１１３、要求部１１４、及び、再生部１１５は、概念的な構成要素である。１つの構成要素が実行する機能を複数の構成要素に分散させたり、複数の構成要素が有する機能を１つの構成要素に統合したりしてよい。
【００３１】
記憶部１２は、例えば、ＲＡＭやＨＤＤに対応する。ＲＡＭやＨＤＤは、識別情報１２１、データベース１２２、及び、履歴情報１２３を記憶可能である。なお、記憶部１２は、例えば、ＳＤメモリカード（登録商標）やＵＳＢ（Universal Serial Bus）メモリ等の可搬型記憶媒体で構成されてもよい。また、コンテンツ再生装置１は、有線や無線のネットワークで接続された他のコンピュータや可搬型記録媒体を介して、上記のプログラムや、各種の情報を取得してよい。
【００３２】
取得部１１１は、外部装置１０から情報を取得する。本実施形態では、取得部１１１は、外部装置１０を認識すると、外部装置１０から一部の情報を自動的に取得する。なお、コンテンツ再生装置１は、例えば、外部装置１０がコンテンツ再生装置１に接続された場合や、外部装置１０がコンテンツ再生装置１に接続された状態でコンテンツ再生装置１の電源がオフからオンに変更された場合に、外部装置１０を認識する。本実施形態では、コンテンツ再生装置１は、カーナビゲーション装置１００に搭載されており、車両のＡＣＣ電源がオフからオンに変更された場合に、コンテンツ再生装置１は外部装置１０を認識する。
【００３３】
取得部１１１は、外部装置１０を認識すると、外部装置１０が個々に有する識別情報１２１を外部装置１０から取得する。識別情報１２１は、複数の外部装置同士を互いに区別することができる情報であればよく、その情報の形態は特に限定されない。識別情報１２１は、外部装置１０の製造時に、各装置に付与されるシリアル番号等であってよい。本実施形態では、取得部１１１は、今回取得した識別情報１２１が先に記憶部１２に記憶された情報と異なる場合にのみ、先に記憶部１２に記憶された情報を今回の情報に更新する形式で、識別情報１２１を記憶部１２に記憶させる。ただし、取得部１１１は、外部装置１０から識別情報１２１を取得する度に、当該情報を記憶部１２に記憶させてもよい。換言すると、記憶部１２には、自装置（コンテンツ再生装置１）に接続された外部装置１０の識別情報１２１が記憶されている。
【００３４】
制御部１１は、外部装置１０が有するコンテンツ１０２ａの情報を取得して記憶部１２にデータベース１２２として記憶する処理を行う。本実施形態では、取得部１１１が、データベース１２２の作成処理を行う。詳細には、取得部１１１は、外部装置１０を認識すると、自動的にコンテンツ１０２ａの情報を外部装置１０から取得する。外部装置１０の記憶部１０２に格納されるコンテンツ１０２ａが複数存在する場合には、取得部１１１は、複数のコンテンツ１０２ａの情報を取得する。
【００３５】
本実施形態では、取得部１１１は、外部装置１０の記憶部１０２に格納される楽曲に関する情報を取得して記憶部１２に楽曲データベース１２２として記憶させる。楽曲データベース１２２は、楽曲に関する幅広い情報を有する。楽曲データベース１２２は、例えば、楽曲固有の曲ＩＤ、楽曲の名称、楽曲を含むアルバム名、楽曲のアーティスト名、楽曲のジャンル名、楽曲の作者名等を含む。
【００３６】
受付部１１２は、操作部２１を介してユーザの指示を受け付ける。受付部１１２は、受け付けたユーザの指示を表示処理部１１３及び要求部１１４へ適宜通知する。本実施形態では、操作部２１に表示部２２が有するタッチパネルが含まれる。受付部１１２は、タッチパネルからの指示を受け付けて表示処理部１１３等に通知する。
【００３７】
制御部１１は、再生対象とするコンテンツの選択のために行われた絞込み操作の履歴を記憶部１２に履歴情報として記憶する処理を行う。本実施形態では、当該記憶処理は受付部１１２によって行われる。なお、ここで言う再生対象とするコンテンツは、外部装置１０に格納されるコンテンツ１０２ａを含む。また、再生対象とするコンテンツ１０２ａの選択のために行われる絞込み操作は、ユーザが操作部２１を操作して行う。コンテンツ１０２ａの絞込みに関する詳細は後述する。
【００３８】
制御部１１は、再生対象のコンテンツの情報を画面に表示させる。本実施形態では、当該表示処理は表示処理部１１３によって行われる。画面に表示されるコンテンツの情報は、階層的に分類される複数種類の情報を含む。なお、再生対象のコンテンツは、外部装置１０に格納されるコンテンツ１０２ａを含む。コンテンツ１０２ａの情報が表示される画面は、表示部２２が有する画面である。表示処理部１１３は表示部２２を制御する。すなわち、表示部２２は、表示処理部１１３からの指示に応じて画面の表示を行う。本実施形態では、この他、表示処理部１１３は、再生対象とするコンテンツ１０２ａを選択するために必要となる情報（例えば操作キー等）を画面に表示させる。
【００３９】
本実施形態では、表示処理部１１３は、例えば、外部装置１０に格納される楽曲の選択に必要となる情報や、再生対象の楽曲の情報の表示処理を行う。表示処理部１１３は、外部装置１０を認識すると、自動的に、外部装置１０に含まれる楽曲の選択に必要となる情報の表示処理を行う。ただし、外部装置１０に含まれる楽曲の選択に必要となる情報の表示処理は、操作部２１を用いたユーザの指令によって開始されてもよい。
【００４０】
図２は、表示処理部１１３の指示によって表示される画面２２ａを模式的に示した図である。図２に示すように、画面２２ａには、再生対象とする楽曲を選択するために使用される楽曲選択キー２２１が表示される。本実施形態では、楽曲選択キー２２１は、タッチパネル方式の操作キーである。また、画面２２ａには、再生対象の楽曲の情報を示す楽曲情報表示領域２２２が含まれる。楽曲情報表示領域２２２は、カテゴリ名を表示するカテゴリ名称表示部２２２ａ、ソング名を表示するソング名称表示部２２２ｂ、アーティスト名を表示するアーティスト名称表示部２２２ｃ、及び、アルバム名を表示するアルバム名称表示部２２２ｄを有する。
【００４１】
なお、カテゴリ名は、本発明の、再生対象とするコンテンツの選択のために行われた絞込み操作で選択されることによって画面に表示可能となる絞込み条件の一例である。本実施形態では、カテゴリ名（絞込み条件）は、コンテンツに関する階層的に分類される複数種類の情報のうち、階層が最上位の情報である。
【００４２】
また、絞込み条件は、選択可能な複数の条件で構成され、複数の条件には、コンテンツのジャンルの名称、コンテンツの作者の名称、プレイリストの名称のうちの少なくともいずれか１つが含まれてよい。これにより、階層的に分類されるコンテンツの情報を、ユーザにとって理解し易く分類にすることができる。本実施形態では、カテゴリ名（絞込み条件）は、楽曲のジャンル名、楽曲の作者名、及び、プレイリスト名である。カテゴリ名は、ユーザが選択しない限り、原則として画面２２ａに表示されない。プレイリストは、ユーザによって作成されたコンテンツの再生順をリスト化したものである。
【００４３】
図３は、外部装置１０のコンテンツ１０２ａを選択するための絞込み操作について説明するための模式図である。ユーザが楽曲選択キー２２１を押すと、画面２２ａに楽曲を選択するための複数の分類が表示される。本実施形態では、楽曲選択キー２２１を押すと、「ジャンル」、「作曲者」、「プレイリスト」、「アーティスト」、「アルバム」、及び、「ソング」が画面２２ａに表示される。ユーザは、この中から楽曲の絞込みを行うための条件を選択する。
【００４４】
なお、「ジャンル」、「作曲者」及び「プレイリスト」は、カテゴリ名として選択可能であるが、「アーティスト」、「アルバム」、及び、「ソング」はカテゴリ名としては選択できない。これは「アーティスト」、「アルバム」、及び、「ソング」は、ユーザが選択しなくても楽曲情報表示領域２２２の各名称表示部２２２ｂ、２２２ｃ、２２２ｄに表示されているからである。なお、たとえば楽曲表示領域２２２にアーティスト名称表示部２２２ｃやアルバム名称表示部２２２ｄが設けられないようにして、カテゴリ名として「アーティスト」や「アルバム」を選択できるようにしてもよい。
【００４５】
図３に示すように、ユーザが「ジャンル」を選択すると、ユーザが選択可能なジャンル名の一覧が画面２２ａに表示される。ユーザが、例えばジャンル名として「ロック」を選択した場合、ユーザが選択可能な、「ロック」を演奏するアーティスト名の一覧が画面２２ａに表示される。ユーザが、例えばアーティスト名として「ＡＡＡＡ」を選択した場合、ユーザが選択可能な、アーティスト「ＡＡＡＡ」の複数の楽曲が収められたアルバム名の一覧が画面２２ａに表示される。ユーザが、例えばアルバム名として「ＰＰＰＰ」を選択した場合、ユーザが選択可能な、アルバム「ＰＰＰＰ」に収められるソング名の一覧が画面２２ａに表示される。このソング名の一覧からユーザが選択したソング名の楽曲が、再生対象の楽曲になる。
【００４６】
なお、上述のように、受付部１１２は、ユーザのコンテンツ（本実施形態では楽曲）の絞込み操作の履歴を記憶部１２に履歴情報１２３として記憶させる。図３に示す例では、受付部１１２は、ユーザの、「ジャンル」→「ロック」→「アーティスト名」→「アルバム名」といった絞込み操作の履歴を履歴情報として記憶部１２に記憶させる。なお、ユーザが最終的に選択したソング名も履歴情報１２３として記憶されてよい。
【００４７】
図４は、再生対象の楽曲の情報を示す画面２２ａの一例を示す模式図である。図４は、図３に示す絞込み操作で楽曲の選択が行われた場合の画面２２ａを示す。図４は、図３でユーザがソング名「ＸＸＸＸ」を選択した場合の画面２２ａである。
【００４８】
ユーザが「ジャンル」を選択したために、図４に示すように、カテゴリ名称表示部２２２ａには、ジャンル名が表示される。詳細には、カテゴリ名称表示部２２２ａには、再生対象の楽曲が属するジャンル名として「ロック」が表示される。ソング名称表示部２２２ｂには、再生対象の楽曲の名称としてソング名「ＸＸＸＸ」が表示される。アーティスト名称表示部２２２ｃには、再生対象の楽曲を演奏するアーティストの名称としてアーティスト名「ＡＡＡＡ」が表示される。アルバム名称表示部２２２ｄには、再生対象の楽曲が収められるアルバムの名称としてアルバム名「ＰＰＰＰ」が表示される。
【００４９】
図４に示す例では、楽曲の情報を示す画面２２ａに、選択可能な他の項目が存在することを示すマーク２２３が表示されている。詳細には、カテゴリ名称表示部２２２ａと、アーティスト名称表示部２２２ｂと、アルバム名称表示部２２２ｃとの横にマーク２２３が示されている。本実施形態では、各名称表示部２２２ａ、２２２ｃ、２２２ｄの横のマーク２２３は表示切換キーを兼ねる。以下、このマーク２２３のことを表示切換キー２２３と記載する場合がある。
【００５０】
なお、本実施形態では、ソング名称表示部２２２ｂの横にはマーク２２３が表示されない。これは、楽曲のスキップを行う操作キー（不図示）が他に存在することに由来する。ソング名称表示部２２２ｂの横にマーク２２３が表示される構成としてもよい。
【００５１】
表示切換キー２２３は、詳細には、表示切換の順番を一方向だけでなく、当該一方向とは反対の順番でも切り換えを行うことができるように、２種類存在する。各表示部２２２ａ、２２２ｃ、２２２ｄの右横に、２種類の表示切換キー２２３の一方が表示され、各表示部２２２ａ、２２２ｃ、２２２ｄの左横に、２種類の表示切換キー２２３の他方が表示される。ただし、表示切換キー２２３は１種類のみであってもよい。
【００５２】
図４に示す例では、カテゴリ名としてジャンル名「ロック」が選択されている。表示処理部１１３は、外部装置１０の記憶部１０２の中に、ジャンル名が「ロック」以外に分類される楽曲が格納されている場合には、カテゴリ名称表示部２２２ａの横に表示切換キー２２３を表示させる。例えば、記憶部１０２の中に、ジャンル名がポップに分類される楽曲（コンテンツ１０２ａ）が格納されている場合には、表示切換キー２２３が表示される。ユーザが、画面の押圧等によって表示切換キー２２３を操作すると、「ロック」から「ポップ」等の他のジャンル名に切り換わる。
【００５３】
図５は、図４に示す例と異なる画面例を示す模式図である。図５に示すように、記憶部１０２の中に、ジャンル名が「ロック」以外に分類される楽曲が格納されていない場合には、表示処理部１１３は、カテゴリ名称表示部２２２ａの横に表示切換キー２２３を表示させない。
【００５４】
図４に示す例では、表示処理部１１３は、記憶部１０２の中に、ジャンル名が「ロック」に分類される楽曲であって、アーティスト名が「ＡＡＡＡ」以外のアーティストによって演奏される楽曲が格納されている場合に、アーティスト名称表示部２２２ｃの横に表示切換キー２２３を表示させる。記憶部１０２の中に、このような楽曲が格納されていない場合には、アーティスト名称表示部２２２ｃの横に表示切換キー２２３は表示されない。なお、図４に示す例では、ジャンル名として「ロック」が選択されているために、切換可能な他のアーティスト名が存在するか否かを判断する場合に、楽曲が「ロック」であることが前提となっている。例えばジャンル名として「ポップ」が選択されていれば、切換可能な他のアーティスト名が存在するか否かを判断する場合に、楽曲が「ポップ」であることが前提になる。
【００５５】
図４に示す例では、表示処理部１１３は、記憶部１０２の中に、ジャンル名が「ロック」に分類されるとともに演奏するアーティスト名が「ＡＡＡＡ」である楽曲であって、アルバム名が「ＰＰＰＰ」以外のアルバムに収められる楽曲が格納されている場合に、アルバム名称表示部２２２ｃの横に表示切換キー２２３を表示させる。記憶部１０２の中に、このような楽曲が格納されていない場合には、アルバム名称表示部２２２ｄの横に表示切換キー２２３は表示されない。
【００５６】
なお、本実施形態では、表示処理部１１３は、データベース１２２に基づいて、外部装置１０の記憶部１０２の中に対象となる分類に含まれるコンテンツ１０２ａが格納されているか否かを判断する。例えば、表示処理部１１３は、データベース１２２に基づいて、記憶部１０２の中に、ジャンル名が「ロック」以外に分類される楽曲が格納されているか否かを判断する。
【００５７】
図１に戻って、要求部１１４は、受付部１１２から通知される指令に従って、通信部１３を介して外部装置１０に要求を行う。要求部１１４は、例えば、受付部１１２からの要求にしたがって、コンテンツ１０２ａの再生を要求する。再生部１１５は、通信部１３を介して外部装置１０から再生信号を受信し、必要に応じてコンテンツ再生装置１側で設定されたイコライザ処理や増幅処理などを施して、出力部３から出力させる。
【００５８】
図６は、本発明の実施形態に係るコンテンツ再生システムＳＹＳが実行する処理手順を示すシーケンス図である。図６に示すように、コンテンツ再生装置１と外部装置１０とは、有線又は無線を介して互いに接続される（ステップＳ１）。外部装置１０は、コンテンツ再生装置１に接続されると、識別情報１２１をコンテンツ再生装置１に通知する（ステップＳ２）。
【００５９】
コンテンツ再生装置１の取得部１１１は、外部装置１０から通知された識別情報を記憶部１２に記憶させる処理を行う（ステップＳ３）。なお、本実施形態では、取得部１１１は、今回取得した識別情報１２１が先に記憶部１２に記憶された情報と異なる場合にのみ、先に記憶部１２に記憶された情報を今回の情報に更新する。取得部１１１は、今回取得した識別情報１２１が先に記憶部１２に記憶された情報と同じである場合には、記憶処理は行わない。
【００６０】
外部装置１０は、コンテンツ再生装置１に接続されると、自装置の記憶部１０２に記憶される楽曲情報をコンテンツ再生装置１に通知する（ステップＳ４）。なお、当該楽曲情報の通知は、場合によっては、識別情報の通知よりも先に行われてもよい。外部装置１０は、記憶部１０２に記憶される楽曲情報のうち、コンテンツ再生装置１で再生可能な全ての楽曲情報をコンテンツ再生装置１に通知する。
【００６１】
取得部１１１は、外部装置１０から通知された楽曲情報を記憶部１２に楽曲データベース１２２として記憶させる（ステップＳ５）。図７は、楽曲データベース１２２の一例を示す図である。図７に示すように、各楽曲は曲ＩＤを有する。楽曲データベース１２２は、曲ＩＤごとに、ジャンル名、作曲名、プレイリスト名、アーティスト名、アルバム名、及び、ソング名が対応付けられた情報である。なお、楽曲によっては、対応付けることができない項目が存在することがある。例えば、プレイリストに登録されていない楽曲には、プレイリスト名を対応付けることができない。図７の示す例では、曲ＩＤ「□□□□」には、プレイリスト名が存在しない。
【００６２】
外部装置１０に格納される楽曲の中から再生対象とする楽曲を選択するために、ユーザがＵＩ部２の操作部２１を用いて絞込み操作を行う（ステップＳ６）と、受付部１１２が当該絞込み操作を受け付ける。受付部１１２は、絞込み操作によって絞り込まれた楽曲を要求部１１４に通知する。図示は省略するが、当該通知に基づいて、要求部１１４が外部装置１０に再生指示を行う。再生指示によって外部装置１０から再生信号が送信され、再生部１１５によって再生処理が行われる。
【００６３】
また、受付部１１２は、絞込み操作の履歴を履歴情報として記憶部１２に記憶させる（ステップＳ７）。更に、受付部１１２は、表示処理部１１３に絞込み操作情報を通知する。表示処理部１１３は、受け取った絞込み操作情報とデータベース１２２とに基づいて、各名称表示部２２２ａ、２２２ｃ、２２２ｄで選択可能な名称の数を確認する（ステップＳ８）。表示処理部１１３は、名称の数に応じて表示切換キー２２３の表示の有無を判断する。名称の数が複数である場合には、表示切換キー２２３を表示すると判断する。名称の数が１つ以下である場合には、表示切換キー２２３を表示しないと判断する。
【００６４】
例えば、絞込み操作によって、カテゴリ名（絞込み条件）として「ジャンル」が選択されたとする。この場合、データベース１２２に基づいて、選択可能なジャンル名の数がカウントされる。このカウント数が複数であれば、表示処理部１１３は、カテゴリ名称表示部２２２ａの横の表示切換キー２２３を表示すると判断する。なお、選択可能なジャンル名として、例えば「ロック」及び「ポップ」がある場合、カウント数は２となる。
【００６５】
また、絞込み操作によって、ジャンル名として「ロック」が選択されたとする。この場合、選択可能なアーティスト名の数は、データベース１２２に基づいて、「ロック」に分類される楽曲のアーティスト名をカウントすることによって取得される。このカウント数が複数であれば、表示処理部１１３は、アーティスト名称表示部２２２ｃの横の表示切換キー２２３を表示すると判断する。更に、絞込み操作によって、アーティスト名として「ＡＡＡＡ」が選択されたとする。この場合、選択可能なアルバム名の数は、データベース１２２に基づいて、選択されたアーティスト名「ＡＡＡＡ」に分類される楽曲のアルバム名をカウントすることによって取得される。このカウント数が複数であれば、表示処理部１１３は、アルバム名称表示部２２２ｄの横の表示切換キー２２３を表示すると判断する。
【００６６】
表示処理部１１３は、再生対象の楽曲のカテゴリ名、アーティスト名、アルバム名、及び、ソング名をデータベース１２２から抽出する（ステップＳ９）。表示処理部１１３は、抽出した名称と、名称数の確認の際に表示すると判断した表示切換キー２２３とを、ＵＩ部２の表示部２２に表示させる処理を行う（ステップＳ１０）。
【００６７】
表示処理部１１３の表示処理によって、表示部２２は、各名称と表示切換キー２２３の表示を行う（ステップＳ１１）。例えば、カテゴリ名として「ジャンル」の「ロック」、アーティスト名として「ＡＡＡＡ」、アルバム名として「ＰＰＰＰ」、ソング名として「ＸＸＸＸ」が抽出されたとする。また、ジャンル名、アーティスト名、及び、アルバム名について、それぞれ、名称数確認で複数の名称の存在が確認されたとする。この場合、上述の図４に示す画面２２ａが表示される。なお、名称数確認で複数の名称が確認されなかった場合には、表示切換キー２２３は表示されない。
【００６８】
図８は、本発明の実施形態に係るコンテンツ再生システムＳＹＳが実行する他の処理手順を示すシーケンス図である。図８は、絞込み操作で選択されることによって画面２２ａに表示可能となる絞込み条件（本実施形態ではカテゴリ名）の表示処理後に、コンテンツ再生装置１が外部装置１０を一旦認識不能となり再認識した際の処理を示すシーケンス図である。より詳細には、図８は、図７に示す手順を行った後に、車両のＡＣＣ電源が一旦オフにされ、その後ＡＣＣ電源がオンされた際の処理手順を示すシーケンス図である。なお、図８に示す手順は、例えば、コンテンツ再生装置１に接続された外部装置１０が一旦非接続とされた後に再接続された際の処理手順等であってもよい。
【００６９】
本例では、コンテンツ再生装置１と外部装置１０とは互いに接続されているために、ＡＣＣ電源がオンされることによって、コンテンツ再生装置１と外部装置１０とは、互いに接続相手を認識する。外部装置１０は、自装置の識別情報１２１をコンテンツ再生装置１に通知する（ステップＳ２１）。コンテンツ再生装置１の取得部１１１は、取得した識別情報１２１について確認処理を行う（ステップＳ２２）。この確認処理の結果は、コンテンツ再生装置１の表示処理部１１３に通知される。確認処理の詳細は、後述する。
【００７０】
また、外部装置１０は、当該装置で選択されている楽曲の情報（現再生情報）をコンテンツ再生装置１に通知する（ステップＳ２３）。当該情報には、例えば、曲ＩＤが含まれる。更に、外部装置１０は、自装置の記憶部１０２に記憶される楽曲情報をコンテンツ再生装置１に通知する（ステップＳ２４）。外部装置１０は、記憶部１０２に記憶される楽曲情報のうち、コンテンツ再生装置１で再生可能な全ての楽曲情報をコンテンツ再生装置１に通知する。
【００７１】
取得部１１１は、外部装置１０から通知された楽曲情報（記憶部１０２に記憶された情報）を記憶部１２にデータベース１２２として記憶させる（ステップＳ２５）。なお、取得部１１１は、外部装置１０が先にデータベース１２２を作成した際と同じ装置である場合、先に作成したデータベース１２２と異なる部分のみの更新を行うこととしてよい。外部装置１０が先にデータベース１２２を作成した際と同じ装置であるか否かは、ステップＳ２２における識別情報の確認結果によって判断することができる。
【００７２】
表示処理部１１３は、外部装置１０で選択中の楽曲の情報、データベース１２２、及び、先に記憶部１２に記憶した履歴情報１２３に基づいて、表示処理に関わる判断を行う（ステップ２６）。表示処理に関わる判断の詳細は後述する。表示処理部１１３は、表示処理に関わる判断の結果に応じて、名称数確認（ステップＳ２７）と名称抽出（ステップＳ２８）とを行い、ＵＩ部２の表示部２２に表示指示を行う（ステップＳ２９）。これらの詳細についても後述する。表示部２２は、表示指示により、楽曲に関する各種の名称及び表示切換キー２２３を表示する（ステップＳ３０）。
【００７３】
要求部１１４は、外部装置１０に対して、外部装置１０で選択中の楽曲の再生指示を行う（ステップＳ３１）。これに応じて、外部装置１０から再生信号がコンテンツ再生装置１に送信され（ステップＳ３２）、再生部１１５は楽曲の再生処理を行う（ステップＳ３３）。
【００７４】
図９は、本発明の実施形態に係るコンテンツ再生装置１が実行する処理手順を示すフローチャートである。図９は、図６に示す手順が行われた後に、車両のＡＣＣ電源が一旦オフにされ、その後ＡＣＣ電源がオンされた際に、コンテンツ再生装置１によって実行される処理の流れを示す。換言すると、図９は、図８に示すシーケンス図におけるコンテンツ再生装置１に注目して、処理手順を示した図である。
【００７５】
コンテンツ再生装置１の制御部１１は、外部装置１０を認識不能となる直前（ＡＣＣ電源オフの直前）の識別情報と、現在認識する（ＡＣＣ電源オン後に認識する）外部装置１０の認識情報とが一致するか否かを確認する（ステップＳ４１）。本実施形態では、当該確認は取得部１１１によって行われる。
【００７６】
外部装置１０を認識不能となる直前の識別情報と、現在認識する外部装置１０の認識情報とが一致する場合（ステップＳ４１でＹｅｓ）、制御部１１は、履歴情報１２３に基づいて、外部装置１０を認識不能となる前にカテゴリ名が画面２２ａに表示されていたか否かを確認する（ステップＳ４２）。本実施形態では、当該確認は、表示処理部１１３によって行われる。
【００７７】
外部装置１０を認識不能となる前にカテゴリ名が画面２２ａに表示されていた場合（ステップＳ４２でＹｅｓ）、制御部１１は、表示処理に関わる判断を行う。本実施形態では、当該判断は、表示処理部１１３によって行われる。
【００７８】
詳細には、制御部１１は、履歴情報１２３と、外部装置１０で選択中の楽曲の情報とに基づいて、カテゴリ名を画面に表示させるか否かを判断する。換言すると、制御部１１は、絞込み操作で選択されることによって画面２２ａに表示可能となる絞込み条件の表示処理後に外部装置１０を一旦認識不能となり再認識した場合に、履歴情報１２３と、外部装置１０で選択中のコンテンツ１０２ａの情報とに基づいて、絞込み条件を画面２２ａに表示させるか否かを判断する。これによれば、外部装置１０を認識できない間の外部装置１０に対するユーザ操作を推測して、所定の条件を満たす場合に限って、ジャンル名等のユーザの選択によって表示可能となる絞込み条件を画面２２ａに表示することが可能になる。
【００７９】
なお、本実施形態では、絞込み操作で選択されることによって画面２２ａに表示可能となる絞込み条件は、カテゴリ名であり、コンテンツの階層的に分類される複数種類の情報のうち、階層が上位の情報である。本実施形態では、当該上位の情報について、画面２２ａに表示させるか否かを判断する構成であり、例えばソング名等の階層が下位の情報については、履歴情報１２３に基づいて画面２２ａに表示するか否かを判断しない構成にできる。本実施形態では、アーティスト名、アルバム名、及び、ソング名については、履歴情報１２３にかかわらず、外部装置１０から取得される情報に基づいて画面２２ａに表示する。
【００８０】
より詳細には、制御部１１は、データベース１２２に基づいて、外部装置１０で選択中の楽曲（コンテンツの一例）が履歴情報１２３にしたがった絞込み操作によって絞り込まれる集合に含まれるか否かを判断する（ステップＳ４３）。制御部１１の記憶部１２に記憶されるデータベース１２２を用いて判断を行うために、迅速に判断を行うことができる。
【００８１】
例えば、履歴情報１２３として、「ジャンル」→「ロック」→「アーティスト名」→「アルバム名」という絞込み操作が記憶されているとする。この場合、制御部１１は、当該絞込み操作によって絞り込まれた名称のアルバムの中に含まれる楽曲の集合をデータベース１２２によって導出する。導出された楽曲の集合の中に、外部装置１０で選択中の楽曲が含まれるか否かを確認する。当該確認は、曲ＩＤを用いて行われてよい。
【００８２】
制御部１１は、外部装置１０で選択中の楽曲が履歴情報１２３にしたがった絞込み操作によって絞り込まれる集合に含まれる場合に（ステップＳ４３でＹｅｓ）、カテゴリ名の表示ありと判断する（ステップＳ４４）。
【００８３】
続いて、制御部１１は、履歴情報１２３とデータベース１２２とに基づいて、各名称表示部２２２ａ、２２２ｃ、２２２ｄで選択可能な名称の数を確認する（ステップＳ４５）。各名称表示部２２２ａ、２２２ｃ、２２２ｄにおける名称の数のカウント方法は上述したのと同様の方法で行われる。名称の数が複数である場合には、表示切換キー２２３を表示すると判断する。名称の数が１つ以下である場合には、表示切換キー２２３を表示しないと判断する。
【００８４】
制御部１１は、履歴情報１２３として記憶されるカテゴリ名と、外部装置１０が選択中の楽曲のアーティスト名、アルバム名、及び、ソング名とを抽出する（ステップＳ４６）。外部装置１０で選択中の楽曲のアーティス名等は、データベース１２２から抽出することができる。制御部１１は、抽出した名称と、名称数の確認の際に表示すると判断した表示切換キー２２３とを、ＵＩ部２の表示部２２に表示させる処理を行う（ステップＳ４７）。これにより、例えば図４や図５に示すようなカテゴリ名称表示部２２２ａにカテゴリ名が表示された画面２２ａが表示される。なお、本実施形態では、ステップＳ４５〜ステップＳ４７の処理は表示処理部１１３によって行われる。
【００８５】
本実施形態によれば、制御部１１は、外部装置１０で選択中の楽曲（コンテンツの一例）が履歴情報１２３にしたがった絞込み操作によって絞り込まれる集合に含まれる場合に、カテゴリ名（絞込み条件の一例）を画面２２ａに表示させる。これによれば、外部装置１０を認識できない間にユーザが外部装置１０を操作していないと判断される場合に限って、外部装置１０が認識不能となる前のカテゴリ名を自動的に表示する。このために、ユーザの使い勝手を向上することができる。なお、カテゴリ名を自動的に表示する場合、制御部１１は、履歴情報１２３の絞込みにしたがった楽曲の再生も自動的に行う。例えば、外部装置１０が認識不能となる前に、プレイリストのリスト１で楽曲を絞り込んで再生が行われており、その後、外部装置１０の再認識が行われた場合、制御部１１は、プレイリストのリスト１で絞り込まれた楽曲の再生を行う。
【００８６】
また、本実施形態では、履歴情報１２３にしたがった絞込み操作によって最終的に絞り込まれる楽曲名（コンテンツ名）ではなく、それより階層的に上位の分類情報（例えばアルバム名）に含まれる楽曲の集合を利用して、履歴情報１２３に記憶されるカテゴリ名を表示させるか否かを判断する構成になっている。このために、外部装置１０を認識できない間の外部装置１０に対するユーザ操作をより適切に推測することが可能である。例えば、履歴情報１２３にしたがった絞込み操作によって絞り込まれた楽曲の集合の中に、「ＸＸＸＸ」及び「ＹＹＹＹ」が含まれるとする。ＡＣＣ電源オフ前に再生されていた楽曲が「ＸＸＸＸ」で、ＡＣＣ電源オン後に外部装置１０で選択中の楽曲が「ＹＹＹＹ」である場合、カテゴリ名は自動的に表示される。ＡＣＣ電源オフ後からオンまでの間に、ユーザがカテゴリ名（絞込み条件）を変更する操作を行っていないと推測されるためである。
【００８７】
なお、以上では、履歴情報１２３に記憶される絞込みの階層が、「ジャンル名」→「アーティスト名」→「アルバム名」の３階層である例を示したが、履歴情報１２３に記憶される絞込みの階層数は、例えば１つや２つであってもよい。
【００８８】
例えば、履歴情報１２３として、「プレイリスト名」だけが絞込み操作として記憶されていてもよい。この場合、制御部１１は、当該絞込み操作によって絞り込まれた名称のプレイリスト名（例えば図７に示す「リスト１」等）に含まれる楽曲の集合をデータベース１２２によって導出する。そして、制御部１１は、導出された楽曲の集合の中に外部装置１０で選択中の楽曲が含まれるか否かを確認する。導出された楽曲の集合の中に外部装置１０で選択中の楽曲が含まれる場合、カテゴリ名称表示部２２２ａに、履歴情報１２３として記憶されるプレイリスト名を自動的に表示する。
【００８９】
別の例として、履歴情報１２３として、「作曲者名」→「アルバム名」という絞込み操作が記憶されていてもよい。この場合、制御部１１は、当該絞込み操作によって絞り込まれた名称のアルバム名に含まれる楽曲の集合をデータベース１２２によって導出する。そして、制御部１１は、導出された楽曲の集合の中に外部装置１０で選択中の楽曲が含まれるか否かを確認する。導出された楽曲の集合の中に外部装置１０で選択中の楽曲が含まれる場合、カテゴリ名称表示部２２２ａに履歴情報１２３として記憶される作曲者名を自動的に表示する。
【００９０】
また、本実施形態によれば、制御部１１は、カテゴリ名（絞込み条件の一例）を表示させる際に、データベース１２２に基づいて表示させるカテゴリ名と変更可能な他の項目が存在すると判断される場合に、前記他の項目を選択可能であることを示すマーク２２３を画面２２ａに表示させる。本実施形態では、マーク２２３は表示切換キーである。これによれば、外部装置１０を認識できない間にユーザが外部装置１０を操作していないと判断される場合に限って、カテゴリ名をだけでなく、現在のカテゴリ名に代わる名称の選択が可能であることを示すマーク２２３も画面２２ａに表示させることができる。このために、ユーザの使い勝手を向上することができる。なお、本実施形態では、カテゴリ名だけでなく、アーティスト名およびアルバム名（カテゴリ名よりも階層的に下位の情報）についても、現在の名称に代わる名称を選択可能であることを示すマーク２２３が表示される。このために、ユーザの使い勝手をより向上することができる。
【００９１】
ところで、ステップＳ４１において、外部装置１０を認識不能となる直前の識別情報と、現在認識する外部装置１０の認識情報とが一致しない場合（ステップＳ４１でＮｏ）、制御部１１は、記憶部１２に記憶される識別情報を現在認識する外部装置１０の識別情報に更新する（ステップＳ４８）。また、制御部１１は、履歴情報１２３を初期化する（ステップＳ４９）。更に、制御部１１は、カテゴリ名、及び、選択可能な他の項目が存在することを示すマーク２２３の表示を行わないと判断する（ステップＳ５０）。
【００９２】
また、ステップＳ４２において、外部装置１０を認識不能となる前にカテゴリ名が画面２２ａに表示されていなかった場合（ステップＳ４２でＮｏ）、制御部１１は、履歴情報の初期化を行い（ステップＳ４９）、カテゴリ名、及び、選択可能な他の情報が存在することを示すマーク２２３の表示を行わないと判断する（ステップＳ５０）。
【００９３】
更に、ステップＳ４３において、外部装置１０で選択中の楽曲が履歴情報１２３にしたがった絞込み操作によって絞り込まれる集合に含まれない場合（ステップＳ４３でＮｏ）、制御部１１は、履歴情報の初期化を行い（ステップＳ４９）、カテゴリ名、及び、選択可能な他の情報が存在することを示すマーク２２３の表示を行わないと判断する（ステップＳ５０）。
【００９４】
ステップＳ５０でカテゴリ名の表示なしと判断された後、ステップＳ４６の名称抽出が行われる。この場合、カテゴリ名の表示なしと先に判断されているために、履歴情報１２３として記憶されるカテゴリ名の抽出は行われない。制御部１１は、外部装置１０が選択中の楽曲のアーティスト名、アルバム名、及び、ソング名を外部装置１０から取得される曲ＩＤに基づいてデータベース１２２から抽出する。
【００９５】
また、ステップＳ５０を経てステップＳ４６が行われた後、ステップＳ３７の表示指示が行われる。この場合、カテゴリ名およびマーク２２３の表示なしと先に判断されているために、図１０に示すように、画面２２ａには、カテゴリ名およびマーク２２３は表示されない。画面２２ａには、外部装置１０で選択中の楽曲のアーティスト名、アルバム名、及び、ソング名が表示される。なお、図１０は、カテゴリ名の表示なしと判断された場合の画面２２ａの一例を示す図である。
【００９６】
本実施形態によれば、制御部１１は、外部装置１０を認識不能となる直前の識別情報と、現在認識する外部装置１０の識別情報とが一致しない場合には、カテゴリ名（絞込み条件の一例）を画面２２ａに表示させない。また、本実施形態では、制御部１１は、外部装置１０で選択中の楽曲が履歴情報１２３にしたがった絞込み操作によって絞り込まれる集合に含まれない場合には、カテゴリ名を画面２２ａに表示させない。したがって、コンテンツ再生装置１においてユーザがどのような操作を行ったかを推測できない場合に、誤った情報をユーザに提供することを防止することができる。
【００９７】
＜３．留意事項＞
本明細書で示す実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００９８】
例えば、以上においては、制御部１１は、データベース１２２に基づいて、外部装置１０で選択中のコンテンツが履歴情報１２３にしたがった絞込み操作によって絞り込まれる集合に含まれるか否かを判断する構成としたが、これは例示である。データベース１２２は使用されなくてもよい。すなわち、制御部１１は、絞込み操作によって絞り込まれたコンテンツの集合をリスト化したリスト情報を記憶部１２に記憶させる処理を行う構成としてよい。そして、制御部１１は、リスト情報に基づいて、外部装置１０で選択中のコンテンツが履歴情報にしたがった絞込み操作によって絞り込まれるコンテンツの集合に含まれるか否かを判断する構成としてよい。
【００９９】
例えば、制御部１１は、「ジャンル」→「ロック」→「アーティスト名」→「アルバム名」という絞込み操作により楽曲の選択が行われた場合に、絞込み操作によって絞り込まれたアルバム名に含まれる全ての楽曲の集合をリスト化したリスト情報を記憶部１２に記憶させる。この後、ＡＣＣ電源がオフされた後、オンされた場合に、制御部１１は、外部装置１０で選択中の楽曲が、リスト情報に含まれる楽曲であるか否かを判断する。制御部１１は、リスト情報に含まれる楽曲である場合、履歴情報１２３に含まれるカテゴリ名（絞込み条件）を画面２２ａに表示させると判断する。本変形例によれば、記憶部１２に記憶されるデータベースを使用することなく、カテゴリ名の表示に関する判断を行うことができる。
【符号の説明】
【０１００】
１  コンテンツ再生装置
１０  外部装置
１１  制御部
１２  記憶部
２２ａ  画面
１０２ａ  コンテンツ
１２１  識別情報
１２２  データベース
１２３  履歴情報
２２３  マーク
【図１】
2019079585.tif 000003
【図２】
2019079585.tif 000004
【図３】
2019079585.tif 000005
【図４】
2019079585.tif 000006
【図５】
2019079585.tif 000007
【図６】
2019079585.tif 000008
【図７】
2019079585.tif 000009
【図８】
2019079585.tif 000010
【図９】
2019079585.tif 000011
【図１０】
2019079585.tif 000012